(57)【特許請求の範囲】
【請求項１】
外壁面材と、その外壁面材の屋内側に設けられた下地フレームとを有する外壁パネルが横並びに複数設けられ、隣り合う前記外壁パネルの間の目地には、当該目地に沿って上下に延びるガスケットが前記下地フレーム同士の間に配設されている外壁目地の止水構造であって、
前記目地を跨いだ状態で前記隣り合う外壁パネルに架け渡された止水シートを備え、
前記止水シートは、それら外壁パネルのそれぞれにおいて前記外壁面材と前記下地フレームとの間に挟まれた状態で固定されており、
前記止水シートにより、
前記目地において屋外側から前記下地フレーム同士の間に入り込んだ状態で、前記ガスケットの少なくとも下端部を屋内側から覆っている覆い部と、
前記ガスケットよりも下方に設けられ、該ガスケットの下端から流れ落ちた水を同ガスケットよりも屋外側に案内する案内部とが形成されており、
前記ガスケットと前記覆い部との間にはそれら両者間の隙間を塞ぐ止水部材が設けられており、
前記隙間は上下方向に延びており、
前記止水部材は、前記隙間における上端部にのみ配置され、
前記案内部は、前記ガスケットから流れ落ちた水を受け止めて案内する案内面を有し、
前記案内面は、屋外側へ向けて下方傾斜する傾斜面により構成され、
前記傾斜面は、前記覆い部と前記案内部とに跨がって形成され、その途中で前記ガスケットの下端に接触していることを特徴とする外壁目地の止水構造。
【請求項２】
前記止水部材は、弾性を有する材料により形成され、前記ガスケットと前記覆い部との間の前記隙間において屋内外方向に圧縮された状態で配設されていることを特徴とする請求項１に記載の外壁目地の止水構造。
【請求項３】
前記隣り合う外壁パネルにはそれぞれ前記外壁面材と前記下地フレームとの間に挟まれた状態でシート材が固定されており、
前記隣り合う外壁パネルの各シート材において、前記目地側にはみ出た部分同士が前記目地において互いに貼り合わせられ接続されることにより前記止水シートが構成されていることを特徴とする請求項２に記載の外壁目地の止水構造。
【請求項４】
前記各シート材は、前記外壁パネルから前記目地側へのはみ出し寸法が互いに相違しており、
前記各シート材のうち、前記はみ出し寸法の大きい側のシート材に前記止水部材が固定されていることを特徴とする請求項３に記載の外壁目地の止水構造。
【請求項５】
前記隣り合う外壁パネルの下地フレーム同士の間において前記覆い部よりも屋内側の領域はその屋内外方向の長さが前記目地の目地幅よりも小さくなっていることを特徴とする請求項１乃至４のいずれか一項に記載の外壁目地の止水構造。
【請求項６】
梁及び柱を有する直方体状の枠体と、その枠体の側面に設けられた前記外壁パネルとを備える複数の建物ユニットが互いに連結されてなるユニット式の建物に適用され、
隣り合う建物ユニットの前記外壁パネル間の目地において前記ガスケットと前記覆い部との間の隙間が前記止水部材により塞がれていることを特徴とする請求項１乃至５のいずれか一項に記載の外壁目地の止水構造。
【発明の詳細な説明】
【技術分野】
【０００１】
本発明は、外壁目地の止水構造に関する。
【背景技術】
【０００２】
住宅等の建物では、複数の外壁パネルが横並びに設けられることにより外壁が構成されている場合がある。この種の外壁パネルは、外壁面材と、外壁面材の屋内側に設けられた下地フレームとを有して構成されている。この場合、隣り合う外壁パネルの間には上下に延びる目地（縦目地）が形成される。目地には、当該目地を通じて屋内側に雨水等の水が浸入するのを阻止するために、ガスケットやシーリング材等の止水シールが設けられている（例えば特許文献１参照）。
【０００３】
かかる止水シールとして、例えば目地における下地フレーム同士の間に上下に延びるガスケットが配設される場合がある。この場合、ガスケットにより屋内側への水の浸入が阻止されることになるが、その水は当該ガスケットに沿って流下し、やがてはガスケットの下端から下方に流れ落ちることになる。そのため、その流れ落ちた水が屋内側に浸入し、建物内を濡らしてしまうといった不都合の発生が懸念される。
【０００４】
そこで、かかる問題に対する対策として、ガスケットの下端から流下する水を止水シートにより受け止めて屋外側へと案内する止水構造が提案されている。かかる止水構造では、止水シートが目地を跨いだ状態で隣り合う外壁パネルに架け渡され、それら外壁パネルのそれぞれにおいて外壁面材と下地フレームとに挟まれた状態で固定される。そして、止水シートにおいて左右方向の中間部が目地において屋外側から下地フレーム同士の間に入り込んだ状態で設けられる。この場合、その入り込み部分により、ガスケットの下端側を屋内側から覆っている覆い部と、ガスケットよりも下方に設けられガスケット下端から流下する水を屋外側に案内する案内部とが形成される。かかる止水構造によれば、ガスケット下端から流下する水を屋外側に導いて排出することができるため、上記流下する水が屋内側に浸入するのを抑制することができる。
【先行技術文献】
【特許文献】
【０００５】
【特許文献１】特開２０１４−１７７７７２号公報
【発明の概要】
【発明が解決しようとする課題】
【０００６】
ところで、上述した止水構造では、屋外において強風を伴う降雨があった場合に、雨水が止水シートに沿って吹き上がってくるおそれがある。その場合、雨水がガスケットと止水シートの覆い部との間の隙間を通じて建物内に吹き込む（吹き上がる）おそれがある。
【０００７】
本発明は、上記事情に鑑みてなされたものであり、目地において屋内側への水の浸入を止水シートにより抑制した構成にあって、その止水シートに沿った建物内への雨水の吹き込みを防止することができる外壁目地の止水構造を提供することを主たる目的とするものである。
【課題を解決するための手段】
【０００８】
上記課題を解決すべく、第１の発明の外壁目地の止水構造は、外壁面材と、その外壁面材の屋内側に設けられた下地フレームとを有する外壁パネルが横並びに複数設けられ、隣り合う前記外壁パネルの間の目地には、当該目地に沿って上下に延びるガスケットが前記下地フレーム同士の間に配設されている外壁目地の止水構造であって、前記目地を跨いだ状態で前記隣り合う外壁パネルに架け渡された止水シートを備え、前記止水シートは、それら外壁パネルのそれぞれにおいて前記外壁面材と前記下地フレームとの間に挟まれた状態で固定されており、前記止水シートにより、前記目地において屋外側から前記下地フレーム同士の間に入り込んだ状態で、前記ガスケットの少なくとも下端部を屋内側から覆っている覆い部と、前記ガスケットよりも下方に設けられ、該ガスケットの下端から流れ落ちた水を同ガスケットよりも屋外側に案内する案内部とが形成されており、前記ガスケットと前記覆い部との間にはそれら両者間の隙間を塞ぐ止水部材が設けられていることを特徴とする。
【０００９】
本発明によれば、ガスケットとそのガスケットを屋内側から覆っている止水シートの覆い部との間の隙間が止水部材により塞がれているため、強風を伴う降雨がある場合に、雨水が当該隙間を通じて建物内に吹き込むのを防止することができる。これにより、止水シートにより屋内側への水の浸入を抑制した構成にあって、止水シートに沿った建物内への雨水の吹き込みを防止することができる。
【００１０】
第２の発明の外壁目地の止水構造は、第１の発明において、前記ガスケットと前記覆い部との間の前記隙間は上下方向に延びており、前記止水部材は、前記隙間における上下方向の一部にのみ配置されていることを特徴とする。
【００１１】
本発明によれば、止水部材がガスケットと覆い部との間の隙間において上下方向の一部にのみ配置されているため、止水部材の上下幅を比較的小さくして形成することができる。これにより、止水部材を目地内に押し込んで配設する作業をし易くすることができる。
【００１２】
第３の発明の外壁目地の止水構造は、第２の発明において、前記止水部材は、前記隙間の上端部に配置されていることを特徴とする。
【００１３】
本発明によれば、止水部材がガスケットと覆い部との間の隙間において上端部に配置されているため、当該隙間に雨水が下方から吹き込んだ場合には、その水が当該隙間を上方に流れた後、止水部材において止水されることになる。この場合、上方へ向けた水の流れの勢いを当該隙間にて低減させた後、止水部材による止水が行われるため、建物内への水の入り込みを好適に防止することができる。
【００１４】
第４の発明の外壁目地の止水構造は、第１乃至第３のいずれかの発明において、前記案内部は、前記ガスケットから流れ落ちた水を受け止めて案内する案内面を有し、前記案内面は、屋外側へ向けて下方傾斜する傾斜面となっており、前記傾斜面は、前記覆い部と前記案内部とに跨がって形成され、その途中で前記ガスケットの下端に接触していることを特徴とする。
【００１５】
本発明によれば、案内部においてガスケットから流れ落ちる水を受け止めて屋外側に案内する案内面が屋外側に向けて下方傾斜する傾斜面となっており、その傾斜面が覆い部と案内部とに跨がって形成されている。この場合、この傾斜面は、その途中でガスケットの下端に接触しているため、ガスケットと覆い部との間の隙間がガスケット下端において閉じられた（又はほぼ閉じられた）状態となっている。これにより、当該隙間への下方からの水の入り込みを抑制することができるため、当該隙間を通じた建物内への水の吹き込みをより確実に防止することができる。
【００１６】
第５の発明の外壁目地の止水構造は、第１乃至第４のいずれかの発明において、前記止水部材は、弾性を有する材料により形成され、前記ガスケットと前記覆い部との間の前記隙間において屋内外方向に圧縮された状態で配設されていることを特徴とする。
【００１７】
止水シートが外壁面材と下地フレームとの間に挟まれて固定されている上述の構成では、その挟み込み代の大きさにばらつきが生じることが想定される。その場合、覆い部の目地内部への入り込み寸法にばらつきが生じ、ひいては覆い部とガスケットとの間の隙間にばらつきが生じることが想定される。その点本発明では、止水部材がガスケットと覆い部との間の隙間において屋内外方向に圧縮された状態で配設されているため、隙間に生じるばらつきを止水部材の圧縮により吸収することができる。これにより、隙間のばらつきにかかわらず止水部材による止水機能を確実に発揮させることができる。
【００１８】
第６の発明の外壁目地の止水構造は、第５の発明において、記隣り合う外壁パネルにはそれぞれ前記外壁面材と前記下地フレームとの間に挟まれた状態でシート材が固定されており、前記隣り合う外壁パネルの各シート材において、前記目地側にはみ出た部分同士が前記目地において互いに貼り合わせられ接続されることにより前記止水シートが構成されていることを特徴とする。
【００１９】
本発明によれば、各外壁パネルを横並びで設置した後、隣り合う外壁パネルのシート材同士を貼り合わせて接続し、その接続部分を目地に押し込むことで覆い部及び案内部が形成された止水シートを構成することができる。これにより、比較的容易に止水シートを外壁パネル間に架け渡されて設けることが可能となる。
【００２０】
ところで、かかる構成では、シート材同士の貼り合わせに際し、その貼り合わせ代の大きさにばらつきが生じることが想定される。その場合、覆い部の目地内部への入り込み寸法にばらつきが生じ、ひいては覆い部とガスケットとの間の隙間にばらつきが生じることが想定される。その点本発明では、隙間に生じるばらつきを止水部材の圧縮により吸収することができるため、隙間のばらつきにかかわらず止水部材による止水機能を確実に発揮させることができる。
【００２１】
第７の発明の外壁目地の止水構造は、第６の発明において、前記各シート材は、前記外壁パネルから前記目地側へのはみ出し寸法が互いに相違しており、前記各シート材のうち、前記はみ出し寸法の大きい側のシート材に前記止水部材が固定されていることを特徴とする。
【００２２】
本発明によれば、隣り合う外壁パネルの各シート材を目地から屋外側に引き出した状態で貼り合わせする際、目地側へのはみ出し寸法の大きい側のシート材をＵ字状に曲げる等して、両シート材を貼り合わせることができる。例えば、両シート材のはみ出し寸法が同じである場合には、両シート材それぞれを内側に曲げる等して貼り合わせる必要があるが、両シート材のはみ出し寸法が異なる上記の構成では、貼り合わせに際し、概ねはみ出し寸法の大きい側のシート材だけ曲げる等すればよい。そのため、その貼り合わせ作業を比較的容易に行うことが可能となる。
【００２３】
第８の発明の外壁目地の止水構造は、第１乃至第７のいずれかの発明において、前記隣り合う外壁パネルの下地フレーム同士の間において前記覆い部よりも屋内側の領域はその屋内外方向の長さが前記目地の目地幅よりも小さくなっていることを特徴とする。
【００２４】
ところで、隣り合う外壁パネルの下地フレーム同士の間において覆い部よりも屋内側の領域に当該覆い部をガスケットとの間で挟み込む挟み込む部材を設け、それによりガスケットと覆い部との間に隙間を生じさせないようにすることが考えられる。この場合にも、ガスケットと覆い部との間を通じた建物内への水の吹き込みを防止することが可能となる。しかしながら、下地フレームの厚み（屋内外方向の長さ）が小さい場合等には、上記屋内側の領域を十分確保することができず、上記屋内側の領域に挟み込み部材を設けることが困難となる。そこで本発明では、この点に鑑み、上記屋内側の領域を十分確保できない構成、具体的には同領域における屋内外方向の長さが目地幅よりも小さくなっている構成に上記第１の発明を適用している。この場合、上記屋内側の領域に挟み込み部材を設けることが困難な場合でも、建物内への水の吹き込みを防止することが可能となる。
【００２５】
第９の発明の外壁目地の止水構造は、第１乃至第８のいずれかの発明において、梁及び柱を有する直方体状の枠体と、その枠体の側面に設けられた前記外壁パネルとを備える複数の建物ユニットが互いに連結されてなるユニット式の建物に適用され、隣り合う建物ユニットの前記外壁パネル間の目地において前記ガスケットと前記覆い部との間の隙間が前記止水部材により塞がれていることを特徴とする。
【００２６】
隣り合う建物ユニットの外壁パネル間の目地には、上述した挟み込み部材を下地フレーム同士の間に架け渡して配設するのが困難と考えられる。その点本発明では、かかる建物ユニット間の目地に対して第１の発明の止水構造を適用しているため、当該目地において建物内への水の吹き込みを好適に防止することが可能となる。
【図面の簡単な説明】
【００２７】
【図１】ユニット式建物の概要を示す斜視図。
【図２】建物ユニットを示す斜視図。
【図３】外壁部の下端部周辺を示す正面図。
【図４】隣り合う外壁パネルの構成を示す正面図。
【図５】図３のＡ−Ａ線断面図。
【図６】目地の止水構造を示す縦断面図。
【図７】目地の止水構造を示す横断面図。
【図８】目地の止水構造を分解した状態で示す横断面図。
【図９】目地に対して止水処理を施す際の作業手順を説明するための図。
【発明を実施するための形態】
【００２８】
以下に、本発明を具体化した一実施の形態について図面を参照しつつ説明する。本実施形態では、建物として、複数の建物ユニットが互いに組み合わされてなるユニット式建物について具体化している。図１は、そのユニット式建物の概要を示す斜視図であり、図２は建物ユニットを示す斜視図である。
【００２９】
図１に示すように、建物１０は、基礎１１上に設けられた建物本体１２と、その建物本体１２の上方に設けられた屋根部１３とを備える。建物本体１２は、一階部分１４と二階部分１５とを有する二階建ての建物となっており、複数の建物ユニット２０が互いに連結されることにより構成されている。建物ユニット２０は製造工場においてあらかじめ製造され、その後施工現場にトラック等により搬送されるものとなっている。また、屋根部１３は、切り妻式の屋根として構成されている。
【００３０】
建物１０の二階部分１５にはバルコニー１６が設けられている。バルコニー１６は、一階部分１４に設けられた複数の建物ユニット２０の上に跨がって設けられている。つまり、バルコニー１６はいわゆるルーフバルコニーとなっている。バルコニー１６は、バルコニー床部１８と、バルコニー床部１８の周縁部に立設されたバルコニー腰壁部１９とを備える。バルコニー腰壁部１９は、バルコニー１６の３方に配設されており、残りの一方には外壁部１７が設けられている。外壁部１７は、二階部分１５に設けられた複数の建物ユニット２０の側面部に跨がって形成されている。この場合、バルコニー床部１８とバルコニー腰壁部１９と外壁部１７とにより囲まれた空間はバルコニー空間ＢＳとなっている。
【００３１】
続いて、建物ユニット２０の構成について説明する。図２は、建物ユニット２０を示す斜視図である。図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなり、天井大梁２２及び床大梁２３は断面コ字状の溝形鋼よりなる。
【００３２】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３３】
次に、外壁部１７の下端部周辺の構成について図３〜図５を参照しつつ説明する。図３は外壁部１７の下端部周辺を示す正面図であり、図４は隣り合う外壁パネル３１の構成を示す正面図であり、図５は図３のＡ−Ａ線断面図である。なお、図３においては、外壁面材４１の裏側に配置された下地フレーム４２を破線で示し、図４においては、壁下シート５１及びシート材６１における外壁面材４１の裏側に配置された部分を破線で示している。また、図４では、隣り合う外壁パネル３１を建物１０に固定していない状態で示している。
【００３４】
図３〜図５に示すように、外壁部１７は、横並びに設けられた複数の外壁パネル３１を有している。外壁パネル３１は、外壁部１７の屋外面（外壁面）を形成する外壁面材４１と、外壁面材４１の屋内側に設けられた下地フレーム４２とを有している。外壁面材４１は、窯業系サイディングボード等の外装材により矩形板状に形成されている。
【００３５】
下地フレーム４２は、上下方向に延びる縦フレーム材４２ａ，４２ｂと、左右方向に延びる横フレーム材４２ｃとを有しており（図３参照）、これら各フレーム材４２ａ〜４２ｃが互いに組み合わせられることにより構成されている。縦フレーム材４２ａ，４２ｂは外壁面材４１の幅方向に所定の間隔で複数設けられ、縦フレーム材４２ａが外壁面材４１の幅方向の中間部に配置され、縦フレーム材４２ｂが外壁面材４１の幅方向の端部に配置されている。縦フレーム材４２ａは断面コ字状の鋼材により形成され、縦フレーム材４２ｂは断面Ｌ字状の鋼材により形成されている（図７参照）。また、横フレーム材４２ｃは、外壁面材４１の上端部及び下端部にそれぞれ設けられており、断面コ字状の鋼材により形成されている。
【００３６】
下地フレーム４２は、建物ユニット２０の床大梁２３、天井大梁２２（図示略）及び柱２１（図７参照）に対しボルト等により固定されている。これにより、外壁パネル３１が建物ユニット２０の側面に取り付けられている。なお、外壁パネル３１は、予め製造工場において建物ユニット２０に組み付けられるものとなっている。
【００３７】
外壁部１７の下方にはベースフレーム３３が設けられている。ベースフレーム３３は、外壁部１７の幅方向に延びる長尺状をなしており、例えば断面矩形の鋼材により形成されている。ベースフレーム３３は、バルコニー床部１８よりも上方に突出した状態で設けられており、その突出した部分が立ち上がり部３３ａとなっている。ベースフレーム３３は、建物ユニット２０の床大梁２３に取付部材（図示略）を介して固定されている。
【００３８】
バルコニー床部１８は、図示しないバルコニー床梁により支持された床下地材４５と、床下地材４５の上に設けられた床断熱材４６と、床断熱材４６の上に敷設された防水板４７とを有している。床下地材４５は、ＡＬＣ（軽量気泡コンクリート）等により形成され、床断熱材４６は、硬質ウレタンフォーム等の発泡系断熱材により形成されている。防水板４７は、耐水皮膜（例えば塩化ビニル膜）が施された鋼板により形成されており、その一部がベースフレーム３３（立ち上がり部３３ａ）の屋外側面に沿って立ち上げられた立ち上がり部４７ａとなっている。なお、防水板４７がバルコニー床部１８において防水層を構成しており、ベースフレーム３３がその防水層の立ち上がり部を支持する防水下地となっている。
【００３９】
図３〜図５に示すように、外壁パネル３１の下端部には壁下シート５１が取り付けられている。壁下シート５１は、クロロプレンゴム（ＣＲゴム）等の耐水性を有する材料により形成された防水シートであり、外壁パネル３１の下端部に沿って延びている。壁下シート５１は、その上部が外壁パネル３１の外壁面材４１及び下地フレーム４２（詳しくはフレーム下端の横フレーム材４２ｃ）の間に挟まれた状態で取り付けられており、その下部が外壁パネル３１よりも下方に垂れ下がって防水板４７の立ち上がり部４７ａの屋外側面に重ねられている。この場合、壁下シート５１は、外壁パネル３１と防水板４７の立ち上がり部４７ａとの間に上下に架け渡された状態となっており、それによりそれら両部材３１，４７ａの間が壁下シート５１により閉塞されている。これにより、ベースフレーム３３の立ち上がり部３３ａと外壁パネル３１との間を通じて雨水等の水が屋内側に浸入することが防止されている。
【００４０】
隣り合う外壁パネル３１の間には上下方向に延びる目地３２（縦目地）が形成されている。この目地３２には、当該目地３２を通じて屋内側に水が浸入するのを防止すべく止水処理が施されている。以下においては、かかる止水構造について図３に加え図６〜図８を用いながら説明する。なお、図６は目地３２の止水構造を示す縦断面図であり、図７は目地３２の止水構造を示す横断面図である。また、図８は目地３２の止水構造を分解した状態で示す横断面図である。なお、図６は図３のＢ−Ｂ線断面図に相当し、図７及び図８は図６のＣ−Ｃ線断面図に相当する。
【００４１】
また、図３，図６〜図８では、隣り合う建物ユニット２０の外壁パネル３１間の目地３２が示されており、以下においてはこれら各図３，６〜８を参照しながらかかる目地３２に対する止水構造について説明する。
【００４２】
図３及び図６〜図８に示すように、隣り合う建物ユニット２０の各外壁パネル３１の境界部では、それら各外壁パネル３１の外壁面材４１同士の間、及び下地フレーム４２同士の間にそれぞれ所定の隙間が形成されており、それら各隙間によって上記の目地３２が形成されている。この場合、上記下地フレーム４２同士は互いの縦フレーム材４２ｂが隣接配置されており、それら各縦フレーム材４２ｂの間に目地３２（の一部）が形成されている。各縦フレーム材４２ｂはそれぞれ、上述したように断面Ｌ字状をなしており、外壁面材４１の屋内側面に取り付けられた取付板部４３と、目地３２を挟んで互いに対向する対向板部４４とを有している。対向板部４４の外側面（目地３２とは反対側の面）にはブラケット４９が固定され、そのブラケット４９は柱２１の側面に固定されている。この場合、縦フレーム材４２ｂひいては下地フレーム４２が柱２１にブラケット４９を介して固定されている。
【００４３】
目地３２には、その奥側への水の浸入を防止すべく、ガスケット５３，５４が設けられている。ガスケット５３，５４は目地３２において屋内外に所定の間隔をあけて２つ配置されており、いずれのガスケット５３，５４も目地３２に沿って上下に延びるように設けられている。つまり、本実施形態では、目地３２の止水処理として二重シール構造が採用されており、当該目地３２における止水効果が高められている。
【００４４】
各ガスケット５３，５４はいずれも定形シールよりなり、ＥＰＤＭ等の弾性を有する樹脂材料により形成されている。各ガスケット５３，５４のうち、ガスケット５３が隣接する外壁面材４１の間に配設され、ガスケット５４が隣接する下地フレーム４２（詳しくは縦フレーム材４２ｂ）の間に配設されている。つまり、各ガスケット５３，５４のうち、ガスケット５３が屋外側、ガスケット５４が屋内側に配置されている。この点からすると、ガスケット５３を一次ガスケット（一次止水シール）、ガスケット５４を二次ガスケット（二次止水シール）と称することもできる。また、ガスケット５３は、その下端が目地３２の下端と同じ高さ位置に設定されているのに対し、ガスケット５４は、その下端が目地３２の下端よりも上方に設定されている。なお、一次止水シールとして、ガスケット５３（定形シール）に代え、シリコン樹脂等からなる不定形シールを用いてもよい。
【００４５】
上記のように、目地３２の止水処理として二重シール構造を採用したことで、雨水等の水が仮に屋外側の（一次）ガスケット５３を通過したとしても、屋内側の（二次）ガスケット５４によりその水が屋内側に浸入するのを阻止することが可能となる。ここで、ガスケット５４に到達した水はガスケット５４に沿って流下することとなるが、その場合その水はガスケット５４の下端からその下方のベースフレーム３３上に落ち、同フレーム３３から屋内側に流れ込むことが懸念される。そこで、本実施形態では、その対策として、ガスケット５４下端から流れ落ちる水をバルコニー空間ＢＳ側（屋外側）に導いて排出する排出構造を備えている。以下、かかる排出構造について説明する。
【００４６】
隣り合う外壁パネル３１には目地３２を跨いだ状態で止水シート５６が架け渡されている。止水シート５６は、塩化ビニル等の耐水性を有する材料により形成された防水シートである。止水シート５６は、各外壁パネル３１において外壁面材４１と下地フレーム４２との間に挟まれた状態で固定されているとともに、その一部が外壁パネル３１よりも下方に垂れ下がって防水板４７の立ち上がり部４７ａの屋外側面に重ねられている。この場合、止水シート５６は、外壁パネル３１と防水板４７の立ち上がり部４７ａとの間に上下に架け渡された状態となっており、それによりそれら両部材３１，４７ａの間が止水シート５６により閉塞されている。また、左右方向（隣り合う外壁パネル３１の並ぶ方向）における止水シート５６の両端部はそれぞれ各外壁パネル３１の壁下シート５１の屋外側面に重ねられている。これにより、止水シート５６と各外壁パネル３１の壁下シート５１とが互いに連続している。
【００４７】
目地３２においては、止水シート５６における左右方向の中間部分が屋外側から下地フレーム４２（詳しくは縦フレーム材４２ｂ）同士の間に入り込んだ状態になっている。この入り込み部分５７は、屋内側に向けて突出した横断面Ｕ字形状になっており、上方、下方及び屋外側に向けて開放された内側空間５７ａを有している。この内側空間５７ａには、ガスケット５４の下端側が屋外側から嵌め込まれている。ガスケット５４は、内側空間５７ａにおいてその両側面をそれぞれ止水シート５６に密着させて配設されている。この場合、ガスケット５４の下端側が止水シート５６の入り込み部分５７により屋内側から覆われた状態となっている。なお、入り込み部分５７は、その屋外側からガスケット５３により覆われた状態となっている。
【００４８】
止水シート５６の入り込み部分５７においては、その上側部分により、ガスケット５４を屋内側から覆っている覆い部５８が形成されている。覆い部５８は、入り込み部分５７においてガスケット５４と上下方向に重複する範囲に形成されている。覆い部５８において上側の部分は外壁面材４１に対する屋内側への入り込み寸法が一定とされているのに対し、下側の部分は上記入り込み寸法が下方に向かうにつれ徐々に小さくなっている。
【００４９】
また、覆い部５８（詳しくは上側部分）は、下地フレーム４２同士（詳しくは縦フレーム材４２ｂ）の間においてその屋内側端部付近まで入り込んでいる。ここで、縦フレーム材４２ｂ（対向板部４４）は、その屋内外方向（換言すると外壁パネル３１の壁厚み方向）の長さが比較的小さくなっており、詳しくは同方向の長さが外壁面材４１の厚みの約２倍又はそれよりも小さくなっている。この場合、下地フレーム４２同士の間において覆い部５８よりも屋内側の領域は、その屋内外方向の長さＬ３（詳しくは、覆い部５８の屋内側端部から下地フレーム４２の屋内側端部までの屋内外方向の長さ）が極めて小さくなっており、詳しくは当該長さＬ３が目地３２の幅（目地幅）よりも小さくなっている。なお、上記屋内側の領域には何も部材が配設されていない。
【００５０】
止水シート５６の入り込み部分５７においては、覆い部５８よりも下方部分（ガスケット５４の下方部分）により、ガスケット５４から流れ落ちる水を屋外側に案内する案内部５９が形成されている。案内部５９は、止水シート５６の入り込み部分５７に加えて、止水シート５６における目地３２よりも下方（外壁パネル３１よりも下方）にはみ出した部分により形成されている。案内部５９においては、屋内側への入り込み寸法が下方に向かうにつれて徐々に小さくされている。
【００５１】
案内部５９は、ガスケット５４の下端から流れ落ちる水を受け止めてそれを屋外側に案内する案内面５９ａを有している。案内面５９ａは、屋外側に向けて下方傾斜する傾斜面となっている。案内面５９ａは、目地３２（ガスケット５３）の下端よりも下方へと延びており、その下端部においてガスケット５４よりも屋外側に、さらにはベースフレーム３３（及び防水板４７の立ち上がり部４７ａ）よりも屋外側に達している。これにより、案内面５９ａに沿って流れる水はベースフレーム３３よりも屋外側にてバルコニー床部１８上に排出されることになる。なお、案内面５９ａは、屋外側に向けて下方傾斜した傾斜面であれば、その傾斜は直線状であっても曲線状であってもよい。
【００５２】
また、案内面５９ａを構成する傾斜面６２は覆い部５８の下端側から延びている。つまり、この傾斜面６２は、覆い部５８と案内部５９とに跨がって形成されている。また、この傾斜面６２はガスケット５４の下端に接触している。この場合、覆い部５８とガスケット５４との間の隙間６３がその下端において閉じられた状態となっている。
【００５３】
ここで、止水シート５６は、各外壁パネル３１のそれぞれに設けられたシート材６１が接続されることにより形成されている。図４に示すように、シート材６１は、外壁パネル３１における下側の隅角部に対して配置されている。シート材６１は、外壁パネル３１の下端部に沿って左右方向に延びているとともに、外壁パネル３１の側端部に沿って上下方向に延びている。この場合、シート材６１は、外壁パネル３１から下方にはみ出しているとともに、幅方向（目地３２側）にもはみ出している。
【００５４】
隣り合う外壁パネル３１においては、シート材６１が外壁パネル３１から幅方向にはみ出すはみ出し寸法が互いに異なっている。隣り合う外壁パネル３１のうち、一方の外壁パネル３１（以下、この符号にａを付す）についてのシート材６１のはみ出し寸法をＬ１とし、他方の外壁パネル３１についてのシート材６１（以下、この符号にｂを付す）のはみ出し寸法をＬ２とした場合、Ｌ２がＬ１よりも大きくなっている。なお、Ｌ１及びＬ２はいずれも外壁面材４１の厚みよりも大きな寸法となっている。
【００５５】
各外壁パネル３１のシート材６１ａ，６１ｂにはそれぞれ、上記はみ出し部分の先端側に接着面６１ｃが設けられている。それら接着面６１ｃ同士は接着剤等を用いて互いに貼り合わせられており、その貼り合わせによってシート材６１ａ，６１ｂ同士が互いに接続され止水シート５６が構成されている。
【００５６】
目地３２においてガスケット５４と止水シート５６の覆い部５８との間には止水部材６５が配設されている。本実施形態では、この止水部材６５によりガスケット５４と覆い部５８との間の隙間６３を塞ぐことで、当該隙間６３を通じた雨水の建物内への吹き込みを防止している。以下、かかる止水部材６５に関する構成について説明する。
【００５７】
ガスケット５４と覆い部５８との間の隙間６３は上下方向に延びており、その隙間６３の上端部に止水部材６５が配設されている。止水部材６５は、所定の厚みを有する弾性材料により形成され、例えばＥＰＤＭ等のゴム材（スポンジ材）により形成されている。止水部材６５は、ガスケット５４と覆い部５８との間で屋内外方向に圧縮された状態で配設されている。これにより、それら両者５４，５８間の隙間６３がその上端部にて止水部材６５により閉塞されている。
【００５８】
止水部材６５は、止水シート５６を構成する各シート材６１ａ，６１ｂのうち、外壁パネル３１から目地３２側へのはみ出し寸法Ｌ２の大きい側のシート材６１ｂに固定されている。止水部材６５は、シート材６１ｂのはみ出し部の先端部に接着剤を用いて固定され、詳しくははみ出し部の先端から基端側へ向けた所定範囲に固定されている。
【００５９】
次に、目地３２に対して上述した止水処理を施す際の作業手順について説明する。図９は、かかる作業手順を説明するための図である。
【００６０】
施工現場では、まず製造工場から搬送されてくる各建物ユニット２０をそれぞれ所定の位置に設置する作業を行う。これにより、隣り合う建物ユニット２０の外壁パネル３１間に目地３２が形成される。なお、シート材６１及び壁下シート５１は製造工場において予め外壁パネル３１に取り付けられる。
【００６１】
止水処理に際しては、まず図９（ａ）に示すように、隣り合う外壁パネル３１の各シート材６１ａ，６１ｂを目地３２から屋外側に引き出す。
【００６２】
次に、図９（ｂ）に示すように、はみ出し寸法が大きい側のシート材６１ｂの先端側を屋内側に折り返すようにして、各シート材６１ａ，６１ｂの接着面６１ｃ同士を接着剤等を用いて貼り合わせる。これにより、各シート材６１ａ，６１ｂが互いに接続されて止水シート５６が形成される。
【００６３】
次に、図９（ｃ）に示すように、止水シート５６のうち目地３２から屋外側に引き出されている部分を目地３２内に押し込む。この際、止水シート５６の上端側から下端に向けて徐々に目地３２への止水シート５６の入り込み寸法が小さくなるように止水シート５６の形を整え、それにより止水シート５６の入り込み部分５７により覆い部５８及び案内部５９を形成する。なお、止水シート５６を目地３２内に押し込むにあたっては、例えば専用の押し込み治具を屋外側から目地３２内に挿入し、その挿入した治具を用いて押し込む。
【００６４】
次に、図９（ｄ）に示すように、目地３２内の下地フレーム４２同士の間にガスケット５４を嵌め込む。この際、ガスケット５４の下端側を止水シート５６における入り込み部分５７の内側空間５７ａに入り込ませる。そして、その入り込み状態でガスケット５４を止水部材６５に向けて押し込み、それによりガスケット５４と止水シート５６（覆い部５８）との間で止水部材６５を圧縮させる。これにより、ガスケット５４と覆い部５８との間の隙間６３が止水部材６５により塞がれる。なお、ガスケット５４を止水部材６５に向けて押し込むにあたっては、例えば専用の押し込み治具を屋外側から目地３２内に挿入し、その挿入した治具を用いて押し込む。
【００６５】
その後、目地３２内の外壁面材４１同士の間にガスケット５３を嵌め込む。これにより、目地３２に対する止水処理が完了する。
【００６６】
以上、詳述した本実施形態の構成によれば、以下の優れた効果が得られる。
【００６７】
ガスケット５４と止水シート５６の覆い部５８との間の隙間６３を止水部材６５により塞いだため、強風を伴う降雨がある場合に、雨水が当該隙間６３を通じて建物内に吹き込むのを防止することができる。
【００６８】
止水部材６５をガスケット５４と覆い部５８との間の隙間６３において上下方向の一部にのみ配置したため、止水部材６５の上下幅を比較的小さくして形成することができる。これにより、止水部材６５を目地３２内に押し込んで配設する作業をし易くすることができる。
【００６９】
具体的には、止水部材６５を上記隙間６３において上端部に配置した。この場合、当該隙間６３に雨水が下方から吹き込んだ場合には、その水が当該隙間６３を上方に流れた後、止水部材６５において止水されることになる。この場合、上方へ向けた水の流れの勢いを当該隙間６３にて低減させた後、止水部材６５による止水が行われるため、建物内への水の入り込みを好適に防止することができる。
【００７０】
案内部５９にガスケット５４から流れ落ちる水を受け止めて屋外側に案内する案内面５９ａを設け、その案内面５９ａを屋外側に向けて下方傾斜する傾斜面６２により構成した。そして、この傾斜面６２を覆い部５８と案内部５９とに跨がるように形成し、その途中でガスケット５４の下端に接触させた。この場合、ガスケット５４と覆い部６８との間の隙間６３がガスケット５４下端において閉じられた（又はほぼ閉じられた）状態となるため、当該隙間６３への下方からの水の入り込みを抑制することができる。これにより、当該隙間６３を通じた建物内への水の吹き込みをより確実に防止することができる。
【００７１】
止水シート５６が外壁面材４１と下地フレーム４２との間に挟まれて固定されている上述の構成では、その挟み込み代の大きさにばらつきが生じることが想定される。その場合、覆い部５８の目地３２内部（目地奥側）への入り込み寸法にばらつきが生じ、ひいては覆い部５８とガスケット５４との間の隙間６３にばらつきが生じることが想定される。その点、上記の実施形態では、止水部材６５をガスケット５４と覆い部５８との間の隙間６３において屋内外方向に圧縮された状態で配設したため、隙間６３に生じるばらつきを止水部材６５の圧縮により吸収することができる。これにより、隙間６３のばらつきにかかわらず止水部材６５による止水機能を確実に発揮させることができる。
【００７２】
隣り合う外壁パネル３１のシート材６１ａ，６１ｂ同士を貼り合わせて接続し、それにより止水シート５６を形成する上述の構成では、シート材６１ａ，６１ｂ同士の貼り合わせに際し、その貼り合わせ代の大きさにばらつきが生じることが想定される。その場合、覆い部５８の目地３２内部への入り込み寸法にばらつきが生じ、ひいては覆い部５８とガスケット５４との間の隙間６３にばらつきが生じることが想定される。その点上記の実施形態では、隙間６３に生じるばらつきを止水部材６５の圧縮により吸収することができるため、隙間６３のばらつきにかかわらず止水部材６５による止水機能を確実に発揮させることができる。
【００７３】
各シート材６１ａ，６１ｂのはみ出し寸法Ｌ１，Ｌ２を互いに異ならせたため、各シート材６１ａ，６１ｂを目地３２から屋外側に引き出した状態で貼り合わせする際、はみ出し寸法の大きい側のシート材６１ｂをＵ字状に曲げる等して、両シート材６１ａ，６１ｂを貼り合わせることができる。例えば、両シート材６１ａ，６１ｂのはみ出し寸法が同じである場合には、両シート材６１ａ，６１ｂそれぞれを内側に曲げる等して貼り合わせる必要があるが、両シート材６１ａ，６１ｂのはみ出し寸法が異なる上記の構成では、貼り合わせに際し、概ねはみ出し寸法の大きい側のシート材６１ｂだけ曲げる等すればよい。そのため、その貼り合わせ作業を比較的容易に行うことが可能となる。
【００７４】
ところで、下地フレーム４２同士の間において覆い部５８よりも屋内側の領域に当該覆い部５８をガスケット５４との間で挟み込む挟み込み部材を設け、それによりガスケット５４と覆い部５８との間に隙間を生じさせないようにすることが考えられる。この場合にも、ガスケット５４と覆い部５８との間を通じた建物内への水の吹き込みを防止することが可能となる。しかしながら、上記の実施形態では、下地フレーム４２（詳しくは縦フレーム材４２ｂ）の厚み（屋内外方向の長さ）が小さくなっており、それにより上記屋内側の領域における屋内外方向の長さが目地３２の幅よりも小さくなっている。そのため、上記屋内側の領域に挟み込み部材を設けることが困難となっている。そこで上記の実施形態では、この点に鑑み、かかる構成に対して止水部材６５を用いた上述の止水構造を適用している。この場合、上記屋内側の領域に挟み込み部材を設けることが困難な場合でも、建物内への水の吹き込みを防止することが可能となる。
【００７５】
隣り合う建物ユニット２０の外壁パネル３１間の目地３２には、上述した挟み込み部材を下地フレーム４２同士の間に架け渡して配設するのが困難と考えられる。その点上記の実施形態では、かかる建物ユニット２０間の目地３２に対して止水部材６５を用いた上述の止水構造を適用しているため、当該目地３２において建物内への水の吹き込みを好適に防止することが可能となる。
【００７６】
本発明は上記実施形態に限らず、例えば次のように実施されてもよい。
【００７７】
（１）上記実施形態では、止水部材６５をガスケット５４と覆い部５８との間の隙間６３において上端部に配置したが、これを変更して、止水部材６５を当該隙間６３の中間部や下端部に配置してもよい。また、止水部材６５を当該隙間６３の上下方向全域に亘って配設してもよい。
【００７８】
（２）上記実施形態では、止水部材６５を止水シート５６（シート材６１ｂ）に固定したが、これを変更して、止水部材６５をガスケット５４に固定してもよい。また、止水部材６５を止水シート５６にもガスケット５４にも固定しないようにしてもよい。その場合、止水シート５６を目地３２内に入り込ませて覆い部５８及び案内部５９を形成した後、止水部材６５を目地３２内に嵌め込み、その後ガスケット５４を目地３２に嵌め込むことになる。
【００７９】
（３）上記実施形態では、覆い部５８によりガスケット５４の下端側を屋内側から覆うようにしたが、例えば覆い部５８（止水シート５６）をガスケット５４の上端まで延ばして形成し、当該覆い部５８によりガスケット５４の上下方向全域を覆うようにしてもよい。
【００８０】
（４）上記実施形態では、案内面５９ａを構成する傾斜面６２を覆い部５８と案内部５９とに跨がって形成したが、傾斜面６２を案内部５９にのみ形成してもよい。
【００８１】
（５）上記実施形態では、隣り合う外壁パネル３１において各シート材６１ａ，６１ｂのはみ出し寸法Ｌ１，Ｌ２を互いに異ならせたが、それらはみ出し寸法Ｌ１，Ｌ２を同じにしてもよい。また、止水シート５６は必ずしも２つのシート材６１ａ，６１ｂを接続することで構成する必要はなく、例えば隣り合う外壁パネル３１間に架け渡された１枚のシート材により形成してもよい。
【００８２】
（６）ところで、縦フレーム材４２ｂ（下地フレーム４２）についてその屋内外方向の長さが比較的大きくされている場合には、縦フレーム材４２ｂ同士の間における覆い部５８よりも屋内側の領域を比較的大きな領域とすることができる。例えば、当該屋内側の領域の屋内外方向の長さＬ３を目地幅よりも十分大きくすることができる。そこで、そのような場合に、当該屋内側の領域に覆い部５８に対して屋内側から当接した状態でスペーサ部材を配設してもよい。この場合、ガスケット５４とスペーサ部材との間で止水部材６５を圧縮させることができるため、止水部材６５をより好適に圧縮させることができる。
【００８３】
（７）上記実施形態では、隣り合う建物ユニット２０の外壁パネル３１間の目地３２に本発明の止水構造を適用したが、一の建物ユニット２０において隣り合う外壁パネル３１間の目地に本発明の止水構造を適用してもよい。
【００８４】
（８）上記実施形態では、バルコニー１６（バルコニー空間ＢＳ）に面した二階部分１５の外壁部１７に本発明の目地止水構造を適用したが、二階部分１５における他の外壁部や、一階部分１４の外壁部に本発明を適用してもよい。
【００８５】
（９）上記実施形態では、ユニット式建物への適用例を説明したが、鉄骨軸組工法により構築される建物等、他の構造の建物にも本発明を適用できる。要するに、外壁パネルが横並びに設けられている建物であれば、隣り合う外壁パネル間の目地に本発明の止水構造を適用することができる。
【符号の説明】
【００８６】
１０…建物、２０…建物ユニット、３１…外壁パネル、３２…目地、４１…外壁面材、４２…下地フレーム、５４…ガスケット、５６…止水シート、５８…覆い部、５９…案内部、５９ａ…案内面、６１…シート材、６２…傾斜面、６３…隙間、６５…止水部材。
【図１】
0006430900.tif 000002
【図２】
0006430900.tif 000003
【図３】
0006430900.tif 000004
【図４】
0006430900.tif 000005
【図５】
0006430900.tif 000006
【図６】
0006430900.tif 000007
【図７】
0006430900.tif 000008
【図８】
0006430900.tif 000009
【図９】
0006430900.tif 000010